(57)【要約】【課題】小型化が可能な光源保持部材および照明器具を提供する。【解決手段】ＬＥＤモジュール５１を有する光源部４１と、前記光源部４１を保持するとともに、ネジ溝である雄ネジ８４が外周面に形成された光源保持部材８１と、前記光源保持部材８１の外周に螺合する保持リング９１と、前記光源保持部材８１の外周に前記保持リング９１を螺合することで前記光源部４１の周囲に取り付けられるグローブ７１と、を備え、前記ＬＥＤモジュール５１は、前記光源保持部材８１の一端面上に配置される。【選択図】図２
2015164099.tif 000002
【特許請求の範囲】
【請求項１】
発光素子を有する光源部と、
前記光源部を保持するとともに、ネジ溝が外周面に形成された光源保持部材と、
前記光源保持部材の外周に螺合する保持リングと、
前記光源保持部材の外周に前記保持リングを螺合することで前記光源部の周囲に取り付けられるグローブと、を備え、
前記光源部は、前記光源保持部材の一端面上に配置される、照明器具。
【請求項２】
請求項１に記載の照明器具であって、
前記光源保持部材の一端面は、略平面である、照明器具。
【請求項３】
請求項１または請求項２に記載の照明器具であって、
前記光源部を取り付けるソケットを備え、
前記光源部は、前記ソケットにより前記光源保持部材の一端に取り付けられ、
前記ソケットの径方向の最大寸法は、前記光源保持部材のネジ溝におけるネジ谷の直径寸法よりも小さい、照明器具。
【請求項４】
請求項１から請求項３のいずれか一項に記載の照明器具であって、
前記光源保持部材の一端面は、貫通孔を有する、照明器具。
【請求項５】
請求項１から請求項４のいずれか一項に記載の照明器具であって、
前記光源保持部材は、金属製である、照明器具。
【請求項６】
請求項１から請求項５のいずれか一項に記載の照明器具であって、
前記光源保持部材には、外周面の一部にフラット面を設ける、照明器具。
【請求項７】
略円筒形状の本体と、
前記本体の外周円筒面に螺旋状に形成されたネジ溝と、
前記本体の円筒軸方向における一方の端部に形成された光源配置部と、を備え、
前記光源配置部は、その表面上に光源部を配置可能である、光源保持部材。
【請求項８】
請求項７に記載の光源保持部材であって、
前記光源配置部は略平面である、光源保持部材。
【発明の詳細な説明】
【技術分野】
【０００１】
本発明は、光源保持部材、および照明器具に関する。
【背景技術】
【０００２】
従来、ソケットと、ソケットに取り付ける光源と、光源を覆うカバー（グローブ、セード）を有する照明器具が知られている（例えば、特許文献１参照）。
【０００３】
特許文献１の照明器具は、複数のアームの先端にホルダーが固定されている。ホルダーには、ソケットが斜め下方に向けて固定されており、ソケットには、球状光源がほぼ下向きにねじ込まれている。球状光源の全周は、カバーで覆われている。ソケット（ネジモーガル）の下半部には、ソケットリング（モーガルリング）が嵌合されている。
【０００４】
特許文献１の照明器具が有するソケットが、例えば白熱電球用のソケットの場合は、高い耐熱性を必要とすることから磁器や耐熱性樹脂などにより作製される。
【先行技術文献】
【特許文献】
【０００５】
【特許文献１】特開２０００−３１１５１０号公報
【発明の概要】
【発明が解決しようとする課題】
【０００６】
例えば特許文献１に開示されているように、ソケットに白熱電球を装着する構成の場合、白熱電球がソケットから大きく突出し、照明器具を小型化することが困難である。仮に、白熱電球をＬＥＤ電球に置き換えたとしても、ＬＥＤ電球がソケットから大きく突出して、照明器具を小型化することが困難である。特に、ＬＥＤ電球の場合、略球体の発光部と口金との間に放熱部を備えていることが多く、その放熱部をソケットから露出させる必要があるため、ソケットに対するＬＥＤ電球の突出量を小さくすることが困難となる。
【０００７】
そこで、本発明は、上記課題に鑑みてなされたものであり、小型化が可能な光源保持部材および照明器具を提供することを目的とする。
【課題を解決するための手段】
【０００８】
本発明の解決しようとする課題は以上の如くであり、次にこの課題を解決するための手段を説明する。
【０００９】
即ち、本願に開示する照明器具は、
発光素子を有する光源部と、
前記光源部を保持するとともに、ネジ溝が外周面に形成された光源保持部材と、
前記光源保持部材の外周に螺合する保持リングと、
前記光源保持部材の外周に前記保持リングを螺合することで前記光源部の周囲に取り付けられるグローブと、を備え、
前記光源部は、前記光源保持部材の一端面上に配置されるものである。
【００１０】
本願に開示する照明器具において、
前記光源保持部材の一端面は、略平面であることが好ましい。
【００１１】
本願に開示する照明器具において、
前記光源部を取り付けるソケットを備え、
前記光源部は、前記ソケットにより前記光源保持部材の一端に取り付けられ、
前記ソケットの径方向の最大寸法は、前記光源保持部材のネジ溝におけるネジ谷の直径寸法よりも小さいことが好ましい。
【００１２】
本願に開示する照明器具において、
前記光源保持部材の一端面は、貫通孔を有することが好ましい。
【００１３】
本願に開示する照明器具において、
前記光源保持部材は、金属製であることが好ましい。
【００１４】
本願に開示する照明器具において、
前記光源保持部材には、外周面の一部にフラット面を設けることが好ましい。
【００１５】
また、本願に開示する光源保持部材は、
略円筒形状の本体と、
前記本体の外周円筒面に螺旋状に形成されたネジ溝と、
前記本体の円筒軸方向における一方の端部に形成された光源配置部と、を備え、
前記光源配置部は、その表面上に光源部を配置可能であるものである。
【００１６】
本願に開示する光源保持部材において、
前記光源配置部は略平面であることが好ましい。
【発明の効果】
【００１７】
本発明によれば、光源の突出量を抑えることで、光源部および照明器具を小型化することができる。
【図面の簡単な説明】
【００１８】
【図１】本発明の一実施形態に係る照明器具を示す平面図。
【図２】照明器具を示す一部断面側面図。
【図３】図２における灯具を示す拡大図。
【図４】電源収容部に電源回路基板を配置した状態を示す平面図。
【図５】灯具の構成を示す分解斜視図。
【図６】光源保持部材（ＬＥＤモジュールを配置していない状態）を示す斜視図。
【図７】光源保持部材を示す図であり、（ａ）は平面図、（ｂ）は側面図。
【発明を実施するための形態】
【００１９】
本発明の実施形態に係る照明器具１００について、図１から図７を用いて説明する。照明器具１００は、光源としてＬＥＤモジュール５１を有し、例えば、図２に示すように、天井面Ｃに直付けされるシーリングライトである。以下の説明では、照明器具１００の上下方向は、照明器具１００が天井面Ｃに設置された状態における上下方向（図２における上下方向）として説明する。また、上下方向に直交する方向を径方向として説明する。また、本実施形態の説明において、上方から照明器具１００等を視た状態を平面視とする。また、上下方向に対して直交方向から照明器具１００等を視た状態を側面視とする。照明器具１００等の断面形状を視た状態を断面視とする。
なお、本実施形態では照明器具としてシーリングライトを例として挙げたが、特に限定するものではない。例えば、照明器具として、シーリングライトの他、シャンデリア、ペンダントライト、ダウンライト、スポットライトなどでもよい。
【００２０】
照明器具１００は、図１、図２に示すように、器具本体１１と、電源部２１と、アーム３１と、光源部４１及びグローブ７１を有する灯具６１とを主に備える。
【００２１】
器具本体１１は、照明器具１００の本体を構成するものである。器具本体１１は、熱伝導性が高いアルミニウム等の金属素材を用いて形成されている。器具本体１１は、上方から順に取付部１２、アーム保持部１３、電源収容部１４を有している。取付部１２は、上面が開放された中空の略逆円錐台形状の部材であり、天井面Ｃに設けられた配線部品を介して照明器具１００を天井面Ｃに取り付けるためのものである。アーム保持部１３は、取付部１２の下面に連設される中空の略円筒状の有底部材である。アーム保持部１３は、周方向に亘って略等間隔に複数のアーム３１を保持する部分である。アーム保持部１３は、略円筒状の周壁部１３ａ、円板状の下板部１３ｂを有している。アーム保持部１３の外径は、取付部１２の下面の外径よりも小さい。アーム保持部１３の周壁部１３ａには、アーム３１の一端（基端）側が挿通される複数の挿通孔１３ｃが設けられている。アーム保持部１３の下板部１３ｂには、電源部２１から延出される電線２０を挿通する挿通孔１３ｄが設けられている。アーム保持部１３の下部には、電源収容部１５が取り付けられる。電源収容部１５は、中空であって平面視が円形状かつ外形が略逆ドーム状である。電源収容部１５は、内部に光源部４１が有するＬＥＤモジュール５３を点灯させるための電源部（電源装置）２１等を収容する部材である。電源収容部１５の外径は、取付部１２の上面の外径よりも大きい。器具本体１１は、取付部１２を介して天井面Ｃに取り付けられる。
【００２２】
電源部２１は、光源部４１が有するＬＥＤモジュール５１に給電を行って、ＬＥＤモジュール５３を点灯させるための電源装置である。具体的には、電源部２１は、略逆ドーム状の電源収容部１４内に電源収容部１４の内部よりも小さく加工された電源回路基板２２（プリント配線板）上に複数の電子部品が実装された電源回路である（図４参照）。電源部２１は、外部商用電源から供給される交流電流を所定の直流電流に変換し、変換後の電流を基板５３上のＬＥＤ素子５４に供給するためのものである。所定の配線部品を介して照明器具１００を天井面Ｃに取り付けることで、電源部２１は外部商用電源と電気的に接続される。電源部２１と光源部４１のＬＥＤモジュール５１は電線２０によって電気的に接続されている。
【００２３】
照明器具１００は、図２、図４に示すように、電源収容部１４の上面にリモコン信号受信部２３を有している。リモコン信号受信部２３は、受信素子２３ａと、カバー２３ｂとからなる。受信素子２３ａは、器具本体１１の電源収容部１４内に配置され、電源回路基板２２にリード線２４で接続されている。リモコン信号受信部２３は、天井面Ｃ側に向いて配置され、図２で示す点線矢印のように、天井面Ｃで反射したリモコン信号Ｓを受信する。
なお、リモコン信号受信部２３は、必要に応じて器具本体１１の電源収容部１４の任意の位置に適宜設ければよい。
【００２４】
アーム３１は、両端が開放された細長い円筒状であり、器具本体１１のアーム保持部１３の周壁部１３ａから天井面Ｃに対して略平行に径方向に突出した複数（本実施形態では、８本）の部材である。なお、アーム３１は、天井面Ｃに平行である必要はなく、部分的に湾曲または屈曲していてもよい。アーム３１は、図１に示すように、アーム保持部１３の周壁部１３ａから平面視放射状に延出される。アーム３１は、熱伝導性が高いアルミニウム等の金属素材を用いて形成されている。アーム３１の一端（基端）は、挿通孔１３ｃに挿通されてアーム保持部１３の側面に締結部材により取り付けられるとともに、アーム３１の他端(先端)は灯具６１を支持する。アーム３１には、一端側（基端側）から内部に電源部２１から延出される電線２０が挿通され、他端側（先端側）から導出された電線２０は灯具６１が有する光源部４１のＬＥＤモジュール５３に電気的に接続される。
【００２５】
灯具６１は、アーム３１の先端側に支持される。灯具６１は、図３に示すように、光源部４１、グローブ７１、灯具基部６２、取付脚部６３、光源保持部材８１、光源保持部材８１に螺合可能な保持リング９１を有している。光源保持部材８１は、「ネジモーガル」などと呼ばれる場合がある。保持リング９１は、「モーガルリング」などと呼ばれる場合がある。
なお、図５において符号Ａで示す鎖線は、灯具６１の中心軸である。
【００２６】
光源部４１は、照明器具１００の照射面側に向けて光を出射する部分である。光源部４１は、発光素子の一例としてＬＥＤを有する。光源部４１は、ＬＥＤモジュール５１、ＬＥＤモジュールソケット５２、モジュールカバー４２等を有している。光源部４１は、光源保持部材８１の一端（下端）面上に配置される。本実施形態においては、ＬＥＤモジュール５１として、平板状に加工された基板５３上にＬＥＤ（Ｌｉｇｈｔ  ｅｍｉｔｔｉｎｇ  ｄｉｏｄｅ）素子５４、アノード側端子、およびカソード側端子を備えたＣＯＢ型発光モジュールを使用している。基板５３は、光源保持部材８１が有する光源配置部８２に当接して配置され、ＬＥＤモジュールソケット５２やネジ等の取付部材により光源保持部材８１に取り付けられる（図４参照）。ＬＥＤモジュール５１は、光源保持部材８１の光源配置部８２に熱伝導可能に取り付けられている。ＬＥＤモジュールソケット５２は、角取りした平面視略正方形状である。ＬＥＤモジュールソケット５２は、ＬＥＤモジュール５１の発光部分を露出させるために、ＬＥＤモジュール５１の発光部分に対向する部分に貫通孔を有する。
【００２７】
ＬＥＤモジュールソケット５２の径方向の最大寸法は、光源保持部材８１の雄ネジ８４におけるネジ谷の直径寸法よりも小さい。このような寸法関係にすることで、保持リング９１を光源保持部材８１に螺合させる際に、保持リング９１がＬＥＤモジュールソケット５２に当接して螺合を阻害することを防ぐことができる。基板５３は、電線２０がアノード側端子及びカソード側端子に接続されることによって、電源部２１と電気的に接続されている。ＬＥＤ素子５４及びＬＥＤモジュールソケット５２には、半球状のモジュールカバー４２が対向して配置され、ＬＥＤ素子５４及びＬＥＤモジュールソケット５２はモジュールカバー４２で覆われている。モジュールカバー４２は、半透明（例えば乳白色）の樹脂素材で形成されている。モジュールカバー４２は、透光性を有する材料で形成されていればよい。モジュールカバー４２は、ＬＥＤ素子５４及びＬＥＤモジュールソケット５２を覆うことで、ＬＥＤ素子５４から発する光を拡散させることができるとともに、ＬＥＤ素子５４等に埃などの異物が付着することを防いでいる。
なお、本実施形態では、光源としてＣＯＢ型発光モジュールを用いたが、光源の種類はＣＯＢ型発光モジュールに限定されず、例えばＬＥＤ素子（表面実装タイプのＬＥＤ素子）や有機ＥＬ素子（ＯＬＥＤ）などであっても実現可能である。
また、基板５３は、熱伝導性シート（図示せず）や放熱グリスを介して光源保持部材８１（光源配置部８２）に取り付けてもよく、これにより、光源部４１においてより高い放熱性を得ることができる。
【００２８】
グローブ７１は、光源部４１の周囲を覆うように取り付けられ、光源部４１からの光を反射及び拡散させつつ、外部へ配光する部材である。グローブ７１は、例えば、下端面が開口するとともに上端面の中央部に開口部７５を有する傘状であり、下方に行くに従って径が広がる形状に形成されている。開口部７５の内径は、光源保持部材８１の外径よりも大きく、光源保持部材８１を挿通可能である。グローブ７１は、透光性を有する樹脂素材で形成されている。グローブ７１の上端には、上方に突出する円筒状であって、灯具基部６２の段部６２ａに係止可能な係止部７２を有している。また、グローブ７１は、保持リング９１のフランジ９３が当接する、径方向外側に延出される段状のフランジ当接部７３を有している。グローブ７１は、光源部４１を有する光源保持部材８１を開口部７５内に挿通し、係止部７２を灯具基部６２の段部６２ａに係止することで、グローブ７１が灯具６１において位置決めされる。また、このようにグローブ７１を位置決めした状態で保持リング９１を光源保持部材８１の外周に螺合することで、保持リング９１のフランジ９３がグローブ７１のフランジ当接部７３に当接して、グローブ７１が灯具６１（灯具基部６２）に取り付けられる。すなわち、グローブ７１は、フランジ当接部７３が灯具基部６２と保持リング９１により挟まれることによって、灯具６１に取り付けられる。グローブ７１は、保持リング９１によりグローブ７１の清掃や部品交換等のために、灯具６１（灯具基部６２）に対して着脱できる構造となっている。
なお、本実施形態のグローブ７１は、光源部４１の周囲を覆う構成としているが、その形状を特に限定するものではない。例えば、グローブの下端側を閉塞した形状のものであってもよい。また、グローブ７１の上端部以外の部分、つまり側面形状や表面加工等は、意匠的効果や照明効果に即して決定すればよい。また、グローブ７１は、遮光性を有していてもよい。
【００２９】
灯具基部６２は、一端（下端）が開放された有底略円筒状の部材である。灯具基部６２の側面には、アーム３１の先端部が締結部材により取り付けられる。灯具基部６２の下端部には、断面視略Ｌ字状に径方向外側に張り出した、グローブ７１の係止部７２を係止するための段部６２ａが設けられている。灯具基部６２には、内側の底部に取付脚部６３の一端（上端）がネジ部材により取り付けられる。
【００３０】
取付脚部６３は、断面視略矩形状の部材である。取付脚部６３は、一端（上端）にネジ部材により灯具基部６２が取り付けられる。取付脚部６３の他端（下端）には、ネジ部材により光源保持部材８１の一端（上端）が取り付けられる。
【００３１】
光源保持部材８１は、光源部４１を保持するとともに、ネジ溝が外周面に形成されている。光源保持部材８１は、図６、図７に示すように、上端が取付脚部６３の取付部６３ａに取り付けられる略円筒状の部材である。光源保持部材８１は、熱伝導性が高いアルミニウム等の金属製素材を用いて形成されている。光源保持部材８１の一端（下端）には、ＬＥＤモジュール５１を配置するための光源配置部８２を有している。すなわち、光源保持部材８１は、円筒形状の本体と、本体の外周円筒面に螺旋状に形成されたネジ溝である雄ネジ８４と、光源配置部８２を有している。
【００３２】
光源配置部８２は、略平面である。光源配置部８２は、その表面上に光源部４１を配置可能である。光源配置部８２は、平面とすることにより、ＬＥＤモジュール５１の裏面との接触面積が大きくなり、ＬＥＤモジュール５１から発する熱を光源保持部材８１に伝えやすくなる。光源配置部８２には、電線２０に接続される電線（図示せず）を光源保持部材８１内から外側に配線するための貫通孔８３が例えば２箇所設けられている（図６参照）。また、光源保持部材８１の外周面には、保持リング９１を螺合可能なネジ溝である雄ネジ８４が形成されている。
【００３３】
光源保持部材８１には、外周面の一部に雄ネジ８４のネジ山が形成されない平坦なフラット面８５が光源保持部材８１の中心軸Ａ方向（図５では上下方向）に沿って２箇所設けられている。２箇所のフラット面８５は、光源保持部材８１の径方向に対向して配置される。
【００３４】
保持リング９１は、光源保持部材８１の外周に螺合して、グローブ７１を支持する部材である。保持リング９１は、熱伝導性が高いアルミニウム等の金属素材を用いて形成されている。保持リング９１は、光源保持部材８１の外周面に形成された雄ネジ８４に螺合可能なネジ溝である雌ネジ９２と、雌ネジ９２の上端面から径方向外側に張り出すフランジ９３とを備えている。灯具基部６２の段部６２ａにグローブ７１の係止部７２を係止させた状態で、下方から光源保持部材８１に保持リング９１を螺合すると、保持リング９１のフランジ９３がグローブ７１のフランジ当接部７３を上向きに押圧し、グローブ７１を下方から支持して、フランジ当接部７３の上端面を灯具基部６２の下端に密着させる。
【００３５】
以上説明した本実施形態の照明器具１００では、ＬＥＤモジュール５１が光源保持部材８１の一端（下端）に配置される。これにより、光源保持部材８１の一端から突出するのはＬＥＤモジュール５１、ＬＥＤモジュールソケット５２、およびモジュールカバー４２のみとなり、電球を備える構成に比べて光源部４１を小型化することができる。本実施形態では、光源部４１を小型化（低背化）することにより、灯具６１を小型化（低背化）することができる。また、光源保持部材８１がＬＥＤモジュール５１から発生する熱を効率的に放熱するヒートシンクとして機能するとともに、光源保持部材８１に保持リング９２を取り付けることによりグローブ７１を灯具１１に取り付けることができる。つまり、光源保持部材８１は、グローブ７１を取り付けるという光源保持部材としての本来機能とＬＥＤモジュール５１を放熱させるというヒートシンクの機能を兼ね備えるものである。また、光源保持部材８１は、外周面に雄ネジ８４を形成したことによるリブ状の凹凸（ネジ溝）が設けられているので、表面積が大きくなり放熱性が高まる。
【００３６】
また、保持リング９１は、金属製素材で形成されているため、光源保持部材８１に螺合した状態であっても、光源保持部材８１の放熱性を高められる。さらに、光源保持部材８１の一端（下端）を略平面とした。これにより、ＬＥＤモジュール５１の基板５３との接触面積が大きくなり、より効率的にＬＥＤモジュール５１から発生する熱をヒートシンクとして機能する光源保持部材８１に伝えることができる。
【００３７】
また、ＬＥＤモジュールソケット５２の径方向の最大寸法は、光源保持部材８１の雄ネジ８４におけるネジ谷の直径寸法よりも小さい。これにより、保持リング９１を光源保持部材８１の外周面に螺合可能となる。
【００３８】
また、光源保持部材８１に配線用の貫通孔８３が設けられている。これにより、電線２０に接続される配線を光源保持部材８１内から光源配置部８２に直接延出することができる。なお、貫通孔８３は、光源配置部８２において、ＬＥＤモジュール５１が配置される部分以外の部分に形成されていることが好ましい。これにより、配線をより確実に光源保持部材８１内から光源配置部８２側へ引き回すことができるとともに、ＬＥＤモジュール５１と光源配置部８２との接触面積を減少させることがないためＬＥＤモジュール５１の放熱性を低下させることがない。
【００３９】
また、本実施形態では、従来のような磁器や樹脂製ではなく金属素材で光源保持部材８１を形成しているため、放熱性が高まる。なお、光源保持部材８１は、ＬＥＤモジュール５１に求められる温度特性が得られれば、必ずしも金属で形成する必要は無く、磁器や樹脂等で形成してもよい。
【００４０】
また、本実施形態では、光源保持部材８１の外周面にフラット面８５を設けている。これにより、光源保持部材８１の成形時においてパートラインの発生を低減できる。すなわち、光源保持部材８１を金型成形で製造する際、光源保持部材８１の径方向に離型させる二分割された金型の場合、光源保持部材８１における金型同士の接合部に対向する部分にパートライン（微小突起）が発生する場合がある。より具体的には、光源保持部材８１の外周円筒面における雄ネジ８４上にパートラインが発生する場合がある。雄ネジ８４上にパートラインが発生すると、その部分だけ外径寸法が大きくなり、光源保持部材８１に保持リング９１をスムーズに螺合できなくなる。本実施形態のように、パートラインに対応する部分にフラット面８５ができるように成形することで、パートラインによる外径寸法の増加を防ぐことができるので、保持リング９１をスムーズに螺合できる光源保持部材８１を実現できる。
【００４１】
また、本実施形態では、電源部２１を有する器具本体１１と、光源部４１を有する複数の灯具６１とをアーム３１により離間して配置している。すなわち、発熱源となる電源部２１と、同じく発熱源である光源部４１（ＬＥＤ素子５１）を、アーム３１により離間して配置している。これにより、電源部２１と光源部４１（ＬＥＤ素子５１）の間において熱干渉を抑えることができる。すなわち、電源部２１と光源部４１（ＬＥＤ素子５１）とは、アーム３１により離間して取り付けられるため、電源部５１及び光源部４１（ＬＥＤ素子５１）のそれぞれから発生する熱を分離しやすく、電源部２１側に光源部４１（ＬＥＤ素子５１）から発生する熱を伝導させにくい。また、電源部２１が発する熱を、光源部４１へ伝導させにくい。
なお、電源部２１を備えた器具本体１１と、光源部４１（ＬＥＤ素子５１）と、器具本体１１と光源部４１とを離間させて連結するアーム３１とを備える照明器具は、本実施形態の特徴の一つである。このような構成を有する照明器具であれば、光源保持部材８１などの細部の形状は本実施形態に開示している構成に限定されない。光源部４１は、ＣＯＢモジュールやＳＭＤモジュールなどＬＥＤ素子を含む発光モジュールであればよい。アーム３１は、少なくとも器具本体１１と光源部４１とを離間させて連結させることができれば、形状、長さ、位置、材質は任意である。アーム３１は、長手寸法をできるだけ長くすることで、電源部２１と光源部４１とを大きく離間させることができ熱干渉を低減できるとともに、アーム３１の表面積を広くすることができるのでアーム３１に伝達した熱を効率よく放熱させることができ、好ましい。アーム３１は、直線状に限らず湾曲させたり屈曲させたりした形状であってもよい。アーム３１をそのような形状にすることで、照明器具全体を大型化せずにアーム３１の全長を長くすることができるので、アーム３１に伝達した熱を効率よく放熱させることができ、好ましい。アーム３１は、電源部２１及び光源部４１の放熱性を考慮すると、金属など熱伝導性が高い材質で形成されていることが好ましいが、電源部２１及び光源部４１のそれぞれにおいて単独で十分な放熱が可能であれば、樹脂など比較的熱伝導性が低い材質で形成されていても問題はない。アーム３１は、本実施形態では器具本体１１から水平方向に突出しているが、水平方向に限らず斜め下方向などに突出していてもよい。また、光源部４１は、図示では複数個備えているが、少なくとも１個備えていればよい。光源部４１は、複数個備える場合は器具本体１１の周囲に等間隔に配置することが重量バランス上好ましいが、必ずしも等間隔である必要はない。
【符号の説明】
【００４２】
４１  光源部
５１  ＬＥＤモジュール
７１  グローブ
８１  光源保持部材
８２  光源配置部
８４  雄ネジ（ネジ溝）
９１  保持リング
【図１】
2015164099.tif 000003
【図２】
2015164099.tif 000004
【図３】
2015164099.tif 000005
【図４】
2015164099.tif 000006
【図５】
2015164099.tif 000007
【図６】
2015164099.tif 000008
【図７】
2015164099.tif 000009